(57)【要約】【課題】本発明は、グッドイヤーウェルト製法の独特な縫い方及びコルク粒の充填具合を視認することができると共に滑り止めの効果を有するグッドイヤーウェルト製法革靴を提供する。【解決手段】中底の周囲に備えられたリブと、少なくとも甲革を備えたアッパーと、ウェルトと、をすくい縫いをした後に、前記中底の前記リブの窪みに中物を詰め、さらに、前記ウェルトと、表底と、をだし縫いをして製作するグッドイヤーウェルト製法革靴において、表底の一部又は全部を透明な合成樹脂で構成したことを特徴とするグッドイヤーウェルト製法革靴。【選択図】図１
2017018328.tif 000002
【特許請求の範囲】
【請求項１】
中底の周囲に備えられたリブと、少なくとも甲革を備えたアッパーと、ウェルトと、をすくい縫いをした後に、前記中底の前記リブの窪みに中物を詰め、さらに、前記ウェルトと、表底と、をだし縫いをして製作するグッドイヤーウェルト製法革靴において、表底の全部を透明な合成樹脂材で構成したことを特徴とするグッドイヤーウェルト製法革靴。
【請求項２】
中底の周囲に備えられたリブと、少なくとも甲革を備えたアッパーと、ウェルトと、をすくい縫いをした後に、前記中底の前記リブの窪みに中物を詰め、さらに、前記ウェルトと、表底と、をだし縫いをして製作するグッドイヤーウェルト製法革靴において、表底の一部を透明な合成樹脂材で構成したことを特徴とするグッドイヤーウェルト製法革靴。
【請求項３】
前記透明な合成樹脂製の表底と革製の表底との接合部の面が、靴のつま先側の革製又は合成樹脂製の表底の部材が踵側の合成樹脂製又は革製の表底部材の下側に延びており、表底の靴底面に対して斜面形状になっていることを特徴とする請求２に記載のグッドイヤーウェルト製法革靴。
【請求項４】
前記透明な合成樹脂が、透明なポリ塩化ビニルであることを特徴とする請求項１又は２又は３に記載のグッドイヤーウェルト製法革靴。
【請求項５】
前記中物が粒度１〜５ｍｍのコルク粒を詰めたもの又はコルク粒を接着剤で固めたものであることを特徴とする請求項１から４のいずれかに記載のグッドイヤーウェルト製法革靴。
【発明の詳細な説明】
【技術分野】
【０００１】
本発明は、表底の全部又は一部に透明なポリ塩化ビニル等の透明な合成樹脂を備えたことによって、グッドイヤーウェルト製法独特の複雑な縫い方と中物であるコルク粒の充填具合を視認することができるグッドイヤーウェルト製法革靴に関するものである。
【背景技術】
【０００２】
革靴には、様々な製法がある。その中でも、周囲に設けられたリブと呼ばれる部分を備えた中底と、甲革と裏革等の甲の部品を接合してできたアッパーと、ウェルトと、をすくい縫いし、その後、リブと中底とで囲われた窪みに、コルク粒と松脂とを混合した中物を詰め、そして、表底で蓋をしながら、表底とウェルトと出し縫いをして固定し、踵等を接着して完成させる、所謂グッドイヤーウェルト製法と呼ばれる製法の革靴は、内蔵されたコルクが緩衝材となり長時間の歩行にも適し、また、長期間の使用によってコルクが使用者の足の形に変形して独特のフィット感を有することになるので、高級な紳士靴として、従来、人気があった。
【０００３】
グッドイヤーウェルト製法の革靴は、表底が交換できる等革靴の古来製法の伝統を重視しており、また、製作に手間のかかる高価な革靴であるので、靴底である表底も革製で製作されていた。ところが、降雨時、特に冬場の路面凍結時において、革製の表底では、滑りやすく、転倒によって負傷するおそれがあった。
【０００４】
そこで、靴の表底に合成ゴム等の滑らない部材を用いることが考えられるようになった。（参考文献１）。
【先行技術文献】
【特許文献】
【０００５】
【特許文献１】特開２００１−２９９４０７号公報（〔００２０〕）
【発明の概要】
【発明が解決しようとする課題】
【０００６】
グッドイヤーウェルト製法は、独特の複雑な縫い方を用いており、完成品では、特に、すくい縫い部分が全く視認できないので、靴の販売員が、素人のお客様に、グッドイヤーウェルト製法の独特な縫い方について、実際に商品を目で見せて説明できないので、理解され難いという問題があった。また、完成品では、中物であるコルク粒の充填具合を全く確認をすることができないという問題もあった。
【０００７】
本発明は、これらの問題を解決したものであって、グッドイヤーウェルト製法の独特な縫い方及びコルク粒の充填具合を視認することができると共に滑り止めの効果を有し、さらに、デザイン性も良好なグッドイヤーウェルト製法革靴を提供するものである。
【課題を解決するための手段】
【０００８】
本発明の請求項１に係るグッドイヤーウェルト製法革靴は、中底の周囲に備えられたリブと、少なくとも甲革を備えたアッパーと、ウェルトと、をすくい縫いをした後に、前記中底の前記リブの窪みに中物を詰め、さらに、前記ウェルトと、表底と、をだし縫いをして製作するグッドイヤーウェルト製法革靴において、表底の全部を透明な合成樹脂材で構成したことを特徴とするグッドイヤーウェルト製法革靴。
【０００９】
請求項２に係るグッドイヤーウェルト製法革靴は、中底の周囲に備えられたリブと、少なくとも甲革を備えたアッパーと、ウェルトと、をすくい縫いをした後に、前記中底の前記リブの窪みに中物を詰め、さらに、前記ウェルトと、表底と、をだし縫いをして製作するグッドイヤーウェルト製法革靴において、表底の一部を透明な合成樹脂材で構成したことを特徴とするグッドイヤーウェルト製法革靴。
【００１０】
請求項３に係るグッドイヤーウェルト製法革靴は、前記透明な合成樹脂製の表底と革製の表底との接合部の面が、靴のつま先側の革製又は合成樹脂製の表底の部材が踵側の合成樹脂製又は革製の表底部材の下側に延びており、表底の靴底面に対して斜面形状になっていることを特徴とする。
【００１１】
請求項４に係るグッドイヤーウェルト製法革靴は、請求項１又は２又は３に記載のグッドイヤーウェルト製法革靴において、前記透明な合成樹脂が、透明なポリ塩化ビニルであることを特徴とする。
【００１２】
請求項５に係るグッドイヤーウェルト製法革靴は、請求項１から４に記載のグッドイヤーウェルト製法革靴において、前記中物が粒度１〜５ｍｍのコルク粒を詰めたもの又はコルク粒を接着剤で固めたものであることを特徴とする。
【００１３】
これらの構成を採用することにより、本発明に係るグッドイヤーウェルト製法革靴は、表底の一部又は全部に合成樹脂、特にポリ塩化ビニルを用いることによって、適当な柔軟性と剛性を兼ね備えているので、靴底として、足の動きに同調させることができると共に、滑り止め効果も有しているので、本発明に係るグッドイヤーウェルト製法革靴を降雨時に履いても滑りにくい。また、地面等との接触する際の履き心地も良好である。
【００１４】
また、革靴が完成品においても、透明な合成樹脂の表底によって、グッドイヤーウェルト製法独特のすくい縫い及びだし縫いを視認することができる。このことによって、革靴を販売する際に、グッドイヤーウェルト製法のことを熟知していない客に対しても、店の販売員が実物で独特の縫い方を説明することができるので、グッドイヤーウェルト製法の高級革靴の販売促進に繋げることが可能となる。
【００１５】
また、透明な合成樹脂製の表底を通して、中物であるコルク粒も視認することができるので、コルク粒の充填具合を確認することができる。このことによって、革靴製造職人は、コルクの充填具合を、お客様にアピールすることができるし、お客様はコルク粒の充填具合を確認できるので、安心して高価なグッドイヤーウェルト製法の革靴を購入することができる。
【００１６】
また、透明な合成樹脂材を表底の全面に使用すれば、踵部以外の中物や縫い方の状態を視認することができるし、透明な合成樹脂材を表底の一部に使用すれば、中物や縫い方の見せたい部分のみを、見せて他の部分は隠すこともできる。
【００１７】
また、靴の表底に透明な合成樹脂材を用いることによって、靴の底面だけでなく、側面の縫い方なども視認でき、これにより斬新な美感を与えることができるので、非常にデザイン性が向上する。よって、デザイン面からも客の購買意欲を掻き立てさせることができる。
【００１８】
また、請求項３に係るグッドイヤーウェルト製法革靴は、透明な合成樹脂製の表底と革製の表底との接合部の面が、靴のつま先側の革製又は合成樹脂製の表底の部材が踵側の合成樹脂製又は革製の表底部材の下側に延びる斜面形状になっているので、歩行時に接合面にかかるせん断力を小さくすることができると共に接着面積を大きくすることができる。よって、接着面が剥がれることを防ぐと共に二つの部材の密着状態を保てるので、降雨時における靴底からの雨水の侵入を防ぐことが可能となる。
【００１９】
また、請求項４に係るグッドイヤーウェルト製法革靴は、透明な合成樹脂が、透明なポリ塩化ビニルである。透明なポリ塩化ビニルは、粘弾性を有しているので、足の裏の動きに同調して、柔軟に変形すると共にクリープ変形も小さく、また耐久性、耐薬品性にも優れているので、表底が長持ちする。また、透明なポリ塩化ビニルは、材料費も安価である。
【００２０】
また、請求項５に係るグッドイヤーウェルト製法革靴は、コルク粒と接着剤との混合物によって、充填したコルクを固めて、その後の長期間の使用によってコルクが足の形状に合う様に変形するので、グッドイヤーウェルト製法独特の使用者の足になじむ効果が現れると共に接着剤で固められたコルク粒によって適当なクッション効果が得られるので長時間歩行しても足に余計な負担がかからない。
【発明の効果】
【００２１】
本発明に係る請求項１から５に記載のグッドイヤーウェルト製法革靴によれば、グッドイヤーウェルト製法独特の縫い方及びコルク粒の充填具合を目で見ることができて品質の確認できるので、お客様は、安心して革靴を購入することができる。また、デザイン性も向上させることができるので、お客様の購買意欲も向上させることができる。また、表底に合成樹脂材を採用しているので、雨天時にも滑ることがない。
【００２２】
また、本発明に係る請求項３に記載のグッドイヤーウェルト製法革靴によれば、表底の合成樹脂材と皮革材との間の接着面が剥がれることを防ぐと共に、降雨時における靴底からの雨水の侵入を防ぐことができる。また、本発明に係る請求項４及び５に記載のグッドイヤーウェルト製法革靴によれば、ポリ塩化ビニル及びコルク粒を採用しているので、使用者の足になじむと共に長時間の歩行においても足に余計な負担がかからない。
【図面の簡単な説明】
【００２３】
【図１】本発明の実施するための形態に係るグッドイヤーウェルト製法革靴の模式的斜視図である。
【図２】本発明の実施するための形態に係るグッドイヤーウェルト製法革靴の模式的底面図である。
【図３】本発明の実施するための形態に係るグッドイヤーウェルト製法革靴の別の形態の模式的底面図である。
【図４】図２における、Ａ−Ａ矢視断面図である。
【発明を実施するための形態】
【００２４】
本発明に係るグッドイヤーウェルト製法革靴１は、アッパー３と、中底に備えられたリブ４−１と、ウェルト６と、をすくい縫いをして、リブ４−１と中底４とに囲われた窪みに中物５である粒度１〜５ｍｍの範囲のコルク粒と液状の糊との混合物を充填した後に、透明なポリ塩化ビニル表底２−１と、ウェルト６とをだし縫いして、靴底の部材を縫合する。その後、革製の踵部材７を、透明なポリ塩化ビニル表底２−１に接着させて完成する。なお、図２に示すように、表底２−１、２−２は、透明なポリ塩化ビニルのみでもよいし、図１、図３に示すように、表底の一部分を透明なポリ塩化ビニル表底２−１とし、他の部分を革製表底としてもよい。
【００２５】
本発明に係るグッドイヤーウェルト製法革靴１は、表底に透明なポリ塩化ビニル表底２−１を用いることによって、地面をグリップする力を強くすることができるので、降雨時であっても靴底が滑って転倒を防止することができる。また、透明なポリ塩化ビニル表底２−１は、粘弾性を有しているので足の裏の動きに同調させることができる。また、透明なポリ塩化ビニル表底２−１は、耐薬品性、耐久性にも優れていて寿命も長く、また価格も安価である。なお、透明なポリ塩化ビニル表底２−１の厚みは、３〜１０ｍｍのものを用い、４〜７ｍｍのものが好適である。
【００２６】
また、本発明に係るグッドイヤーウェルト製法革靴1は、透明なポリ塩化ビニル表底２−１を用いるので、グッドイヤーウェルト製法独特の縫い方を、実際に目で見て確認することができる。よって、中底４のリブ４−１、アッパー３の裏革３−２や甲革３−１、ウェルト（細革）６、すくい縫いの糸１２、表底２−１、だし縫いの糸１１を視認できるので、靴の販売員は、素人のお客様にもそれらを視認させながら、グッドイヤーウェルト製法を説明することができると共に、販売員も、お客様も、革の状態や縫い糸の状態を目でチェックして品質が確認できるので、安心して販売及び購入ができる。
【００２７】
また、伝統を重んじた革靴の製法であるグッドイヤーウェルト製法において、本発明に係るグッドイヤーウェルト製法革靴１は、斬新な材料である透明なポリ塩化ビニル表底２−１を用いているので、独自のデザイン性を有しており、お客様の購買意欲を向上させることができる。また、中物５の表面と、透明なポリ塩化ビニル表底２−１との間に商標を書いた小さなプレートを入れておくこともできる。これによって、商標を示すと共にコルク粒５上に設置された商標プレートがデザイン性を有し、美感を与えることができる。
【００２８】
革製の表底２−２は、長期の使用によって、多少傷が入ったとしても、外観上美観を損なわない。よって、本発明に係るグッドイヤーウェルト製法革靴１を、図３に示すように表底２−１、２−２を配置にすれば、長期間の使用による透明な塩化ビニル表底２−１の表面の傷を軽減できる。また、本発明に係るグッドイヤーウェルト製法革靴１によれば、表底２−１、２−２の取替えも簡単で全体を損なうことなく容易に行うことができる。
【００２９】
また、図１に示すように、透明なポリ塩化ビニル２−１と革製の表底２−２との接合は、靴１の前側の表底２−１，２−２が、後方の表底２−２、２−１の下側になるように、接着面８が表底２−１，２−２の靴底面に対して斜面形状に接着すれば、接着面積が大きくなり確実に接着できると共に接着面のせん断力を小さくできる。また、接着面８において、地面の抵抗が後方の表底２−２，２−１にかかりにくいので、後方の表底２−２，２−１が剥離することを防止できる。また、透明なポリ塩化ビニル２−１と革製の表底２−２と接着面が大きく、それらの接着を確実にできるので、雨天時の地表の水溜りからの浸水も防ぐことができる。
【００３０】
アッパー３は、甲側３−１と裏革３−２とを縫合又は接着して製作しており、さらに、靴紐の通し穴を設け、最終的には通し穴に紐を通して完成する。
【００３１】
中物５は、粒度１〜５ｍｍの範囲のコルク粒と接着剤を混合させて、中底４と中底に設けられたリブ４−１とに囲まれた窪みに充填する。本発明に係るグッドイヤーウェルト製法革靴１は、コルク粒５が長時間の使用によって足の形状に合う様に変形するので、革靴１が足にフィットして、グッドイヤーウェルト製法の革靴独特の履き心地を感じることができる。なお、リブ４−１は、中底４の外縁部を少し切れ込みを入れ、その切れ込んだ革を下向きに立てて製作しても良いし、中底４の外縁部に別の革材を接着して製作しても良い。また、接着剤は、硬化後に透明になるものがよい。
【００３２】
ウェルト６は、細い革製であって、アッパー３や中底４と、表底２−１，２−２とを、すくい縫い及びだし縫いによって、媒介物の役割を果たすものである。
【００３３】
本発明に係るグッドイヤーウェルト製法革靴１では、すくい縫いの糸１１を、透明なポリ塩化ビニル表底２−１を通して、完成後も視認することができる。よって、縫い糸１１を視認できるので、本発明に係るグッドイヤーウェルト製法革靴１は、縫製の品質を確認することができるので、安心して、販売や購入をすることができる。
【００３４】
本発明に係るグッドイヤーウェルト製法革靴１では、だし縫いの糸１２は、ウェルト６の上面と表底２−２の下面だけでなく、透明なポリ塩化ビニル表底２−１を貫通している状態も視認することができる。よって、縫い糸１２を視認できるので、本発明に係るグッドイヤーウェルト製法革靴１は、縫製の品質を確認することができるので、安心して、販売や購入をすることができる。
【００３５】
本発明に係るグッドイヤーウェルト製法革靴１は、グッドイヤーウェルト製法の特徴である靴底の補修ができるが、その補修完成時においても、新品時と同様に、縫い糸１１、１２や中物５の充填具合を視認することができるので、品質保証につながる。
【産業上の利用可能性】
【００３６】
グッドイヤーウェルト製法の革靴を製作及び販売する分野で広く利用することができる。
【符号の説明】
【００３７】
１：グッドイヤーウェルト製法革靴
２−１：透明なポリ塩化ビニル表底
２−２：革製表底
３：アッパー
３−１：甲革
３−２：裏革
４：中底
４−１：リブ
５：中物（コルク粒）
６：ウェルト
７：踵部材
８：接着面
１１：糸（だし縫い）
１２：糸（すくい縫い）
【図１】
2017018328.tif 000003
【図２】
2017018328.tif 000004
【図３】
2017018328.tif 000005
【図４】
2017018328.tif 000006